(57)【特許請求の範囲】
【請求項１】
筒状のケース体（Ａ）と、ケース体（Ａ）内に回転軸（32）を起立してケース体（Ａ）に対する相対回転が可能に装着した回転体（Ｂ）と、ケース体（Ａ）及び回転軸（32）に対して昇降可能に装着するとともに、ケース体（Ａ）に対する回転体（Ｂ）の相対回転で昇降する中皿（Ｃ）とを備えた繰出容器であって、回転体（Ｂ）のケース体（Ａ）に対する相対回転方向を中皿（Ｃ）の上昇方向のみに規制する回転方向規制機構を、回転体（Ｂ）とケース体（Ａ）との間に設け、上記ケース体（Ａ）を、回転軸（32）外周下部に回転可能且つ上方への抜け出しを防止して嵌合させ、且つ、回転体（Ｂ）との間に回転方向規制機構を備えた下部ケース体（A1）と、下部ケース体（A1）上に上方より嵌合固定させた上部ケース体（A2）とで構成したことを特徴とする繰出容器。
【請求項２】
上記回転方向規制機構を、下部ケース体（A1）の内周下部及び回転軸（32）外周下部のいずれか一方に突設した係合爪（37）と、他方周面に周方向多数突設したラチェット歯（14）とで構成した請求項１記載の繰出容器。
【請求項３】
上記回転体（Ｂ）を、筒状の把持部（30）より延設した頂板部（31）中央に回転軸（32）を起立して構成し、下部ケース体（A1）を、中央部に回転軸（32）を挿通して頂板部（31）上面周縁部に載置するとともに、内周面に周方向複数突設した係合突片（11）を回転軸（32）外面に周設した係止凹部（33）に回転可能に係合させて上方への抜け出しを防止してなる請求項１又は請求項２のいずれか１項に記載の繰出容器。
【請求項４】
上記中皿（Ｃ）を、上部ケース体（A2）内周面下部との間に回転を防止して上下動可能に嵌合させた外筒（40）と、外筒（40）からフランジ状の底板（41）を介して起立するとともに、回転軸（32）外周面下部に螺着した内筒（42）とを備え、回転軸（32）の外周部から上部に亘り収容物（Ｅ）を充填する如く構成した請求項１乃至請求項３のいずれか１項に記載の繰出容器。
【請求項５】
上記回転体（Ｂ）が、ケース体（Ａ）内下部に起立する回転軸（32）を備えた回転体（Ｂ）であり、上記中皿（Ｃ）を、上部ケース体（A2）内周面下部との間に回転を防止して上下動可能に嵌合させた外筒（48）と、外筒（48）からフランジ状の底板（49）を介して起立するとともに、回転軸（32）外周に螺着した内筒（50）とからなる下部構成部（C1）と、下部構成部（C1）上に嵌着固定した上部構成部（C2）とから構成し、上部構成部（C2）は、回転軸（32）上に位置する底板（54）外周をケース体（Ａ）内周に液密摺動可能に嵌合させて底板（54）の上方に収容物（Ｅ）を充填する如く構成した請求項１乃至請求項３のいずれか１項に記載の繰出容器。
【発明の詳細な説明】
【技術分野】
【０００１】
本発明は繰出容器に関する。
【背景技術】
【０００２】
繰出容器として、例えば、棒状化粧品を出し入れできる形態のものが一般的に知られており、これらの棒状化粧品として、例えば口紅やリップクリーム等が挙げられる。（例えば、特許文献１を参照）
【０００３】
特許文献１に記載された繰出容器は、下部を把持部とした主筒と、主筒外周に回動可能に嵌合させた嵌合筒と、主筒内に上下動可能に嵌合させるとともに、棒状化粧品の下端部を固定した化粧品固定筒とを備え、主筒と回動筒の相対回動により化粧品固定筒が上下動する昇降機構を備えている。
【先行技術文献】
【特許文献】
【０００４】
【特許文献１】特開２００３−００９９４３号公報
【発明の概要】
【発明が解決しようとする課題】
【０００５】
従来の繰出容器は、上記した如く、一般に棒状化粧品が上下動可能に収納されたものであり、突出した棒状化粧品を使用後に再び収納する如く構成しているが、棒状化粧品の中には一回の使用量が比較的多く、突出した部分を略使い切ってしまうものも存在する。従って、その様な場合には化粧品の昇降機構は必要なく、昇機構のみあれば足りることとなる。
【０００６】
本発明は上記した点に鑑みてなされたもので、棒状の収容物を少量ずつ必要に応じた量だけ突出することができて、一旦突出した先端部の内部への再収納が防止され、その結果、収容物に無駄な移動による亀裂等の損傷が起こることを確実に防止することができ、しかも構造が簡単である繰出容器を提案する。
【０００７】
また、上記機能を発揮するとともに、収容物の量を極力多くすることができる繰出容器を提案する。更に、上記機能を発揮するとともに、収容物に対する気密性をより確実に発揮することができる繰出容器を提案する。
【課題を解決するための手段】
【０００８】
第１の手段として、以下の通り構成した。即ち、筒状のケース体Ａと、ケース体Ａ内に回転軸32を起立してケース体Ａに対する相対回転が可能に装着した回転体Ｂと、ケース体Ａ及び回転軸32に対して昇降可能に装着するとともに、ケース体Ａに対する回転体Ｂの相対回転で昇降する中皿Ｃとを備えた繰出容器であって、回転体Ｂのケース体Ａに対する相対回転方向を中皿Ｃの上昇方向のみに規制する回転方向規制機構を、回転体Ｂとケース体Ａとの間に設け、上記ケース体Ａを、回転軸32外周下部に回転可能且つ上方への抜け出しを防止して嵌合させ、且つ、回転体Ｂとの間に回転方向規制機構を備えた下部ケース体A1と、下部ケース体A1上に上方より嵌合固定させた上部ケース体A2とで構成した。
【００１０】
第２の手段として、以下の通り構成した。即ち、前記第１の手段に於いて、上記回転方向規制機構を、下部ケース体A1の内周下部及び回転軸32外周下部のいずれか一方に突設した係合爪37と、他方周面に周方向多数突設したラチェット歯14とで構成した。
【００１１】
第３の手段として、以下の通り構成した。即ち、前記第１の手段又は第２の手段のいずれか１つの手段に於いて、上記回転体Ｂを、筒状の把持部30より延設した頂板部31中央に回転軸32を起立して構成し、下部ケース体A1を、中央部に回転軸32を挿通して頂板部31上面周縁部に載置するとともに、内周面に周方向複数突設した係合突片11を回転軸32外面に周設した係止凹部33に回転可能に係合させて上方への抜け出しを防止してなる。
【００１２】
第４の手段として、以下の通り構成した。即ち、前記第１の手段乃至第３の手段のいずれか１つの手段に於いて、上記中皿Ｃを、上部ケース体A2内周面下部との間に回転を防止して上下動可能に嵌合させた外筒40と、外筒40からフランジ状の底板41を介して起立するとともに、回転軸32外周面下部に螺着した内筒42とを備え、回転軸32の外周部から上部に亘り収容物Ｅを充填する如く構成した。
【００１３】
第５の手段として、以下の通り構成した。即ち、前記第１の手段乃至第３の手段のいずれか１つの手段に於いて、上記回転体Ｂが、ケース体Ａ内下部に起立する回転軸32を備えた回転体Ｂであり、上記中皿Ｃを、上部ケース体A2内周面下部との間に回転を防止して上下動可能に嵌合させた外筒48と、外筒48からフランジ状の底板49を介して起立するとともに、回転軸32外周に螺着した内筒50とからなる下部構成部C1と、下部構成部C1上に嵌着固定した上部構成部C2とから構成し、上部構成部C2は、回転軸32上に位置する底板54外周をケース体Ａ内周に液密摺動可能に嵌合させて底板54の上方に収容物Ｅを充填する如く構成した。
【発明の効果】
【００１４】
本発明によれば、筒状のケース体Ａと、ケース体Ａ内に回転軸32を起立してケース体Ａに対する相対回転が可能に装着した回転体Ｂと、ケース体Ａ及び回転軸32に対して昇降可能に装着するとともに、ケース体Ａに対する回転体Ｂの相対回転で昇降する中皿Ｃとを備えた繰出容器であって、回転体Ｂのケース体Ａに対する相対回転方向を中皿Ｃの上昇方向のみに規制する回転方向規制機構を、回転体Ｂとケース体Ａとの間に設けたので、容器が収容物Ｅを上昇させる方向にしか機能せず、特に一部を使用した使用途中の場合に中皿Ｃが下方へ下降して収容物Ｅが無用に下降したりすることがなく、その結果、収容物Ｅの無駄な動きを極力排除して不必要な動きから生じる不必要な摩擦から亀裂等が生じることを極力防止できる。また、その構造は極めて単純であり、部材数も少なく構成されているため、製造も容易で安価に製造できる利点も兼ね備えている。
【００１５】
上記ケース体Ａを、回転軸32外周下部に回転可能且つ上方への抜け出しを防止して嵌合させ、且つ、回転体Ｂとの間に回転方向規制機構を備えた下部ケース体A1と、下部ケース体A1上に上方より嵌合固定させた上部ケース体A2とで構成した場合には、回転体Ｂに下部ケース体A1を装着した後中皿Ｃを装着し、その後上部ケース体A2を嵌着することができるため、無理のない円滑な組み付け操作が可能である。
【００１６】
上記回転方向規制機構を、下部ケース体A1の内周下部及び回転軸32外周下部のいずれか一方に突設した係合爪37と、他方周面に周方向多数突設したラチェット歯14とで構成した場合には、回転方向規制機構が大きなスペースを必要とせず、その結果回転方向規制機構を効率よく構造的な組み込みを行える。
【００１７】
上記回転体Ｂを、筒状の把持部30より延設した頂板部31中央に回転軸32を起立して構成し、下部ケース体A1を、中央部に回転軸32を挿通して頂板部31上面周縁部に載置するとともに、内周面に周方向複数突設した係合突片11を回転軸32外面に周設した係止凹部33に回転可能に係合させて上方への抜け出しを防止してなる場合には、回転体Ｂに対する下部ケース体A1の装着がより容易であり、また、回転体Ｂのケース体Ａに対する相対回転がより行い易い。
【００１８】
上記中皿Ｃを、上部ケース体A2内周面下部との間に回転を防止して上下動可能に嵌合させた外筒40と、外筒40からフランジ状の底板41を介して起立するとともに、回転軸32外周面下部に螺着した内筒42とを備え、回転軸32の外周部から上部に亘り収容物Ｅを充填する如く構成した場合には、収容物Ｅを極力効率よく多量に充填することができる利点がある。
【００１９】
上記回転体Ｂが、ケース体Ａ内下部に起立する回転軸32を備えた回転体Ｂであり、上記中皿Ｃを、上部ケース体A2内周面下部との間に回転を防止して上下動可能に嵌合させた外筒48と、外筒48からフランジ状の底板49を介して起立するとともに、回転軸32外周に螺着した内筒50とからなる下部構成部C1と、下部構成部C1上に嵌着固定した上部構成部C2とから構成し、上部構成部C2は、回転軸32上に位置する底板54外周をケース体Ａ内周に液密摺動可能に嵌合させて底板54の上方に収容物Ｅを充填する如く構成した場合には、収容物Ｅを気密に充填することができる利点を兼ね備える。
【図面の簡単な説明】
【００２０】
【図１】繰出容器の半断面図である。（実施例１）
【図２】分解状態の回転体，下部ケース体，中皿を示す半断面図である。（実施例１）
【図３】図２のＸ−Ｘ線に沿う横断面図である。（実施例１）
【図４】環状突条部部分の要部拡大断面図である。（実施例１）
【図５】繰出容器の分解状態の半断面図である。（実施例１）
【図６】繰出容器の半断面図である。（実施例２）
【図７】分解状態の回転体，下部ケース体，支持体を示す半断面図である。（実施例２）
【図８】図６のＹ−Ｙ線に沿う横断面図である。（実施例２）
【図９】繰出容器の分解状態の半断面図である。（実施例２）
【図１０】中皿が上昇した状態の半断面図である。（実施例２）
【発明を実施するための形態】
【００２１】
以下、本発明の形態を図面を参照して説明する。
【００２２】
図１乃至図５は繰出容器１の一例を示す。繰出容器１は、ケース体Ａと、回転体Ｂと、中皿Ｃと、キャップＤとを備えている。
【００２３】
ケース体Ａは、下部ケース体A1と、上部ケース体A2とから構成している。
【００２４】
下部ケース体A1は、図２で明らかな如く、外周上下方向中間部に上向き段部10を介してその上方の筒壁を縮径した上下端開口の円筒状をなし、内周上下方向中間部位置に、周方向複数の係合突片11を突設している。各係合突片11は中心側に向かってそれぞれ上昇する。また、上向き段部10上方の外周には、等間隔に四カ所の廻止突条12を縦設しており、また、各廻止突条12の上下中間部位置を横断する抜止凹部13を周設している。更に、下部内面には回転方向規制機構を構成するラチェット歯14を周方向複数突設している。各ラチェット歯14は図３に示す如く、一方が傾斜面を、他方垂直面をなす横断面三角形状に形成されている。
【００２５】
上部ケース体A2は、図５で明らかな如く、上下端を開口した円筒状をなし、内周下端部を下向き段部20を介して帯状凹陥部21とし、帯状凹陥部21の内面には周方向等間隔に４カ所の廻止凹溝22を縦設しており、各廻止凹溝22の上下中間位置を横断する抜止突部23を周設している。また、内周面の下向き段部20上方所定位置には、周方向等間隔に４個所に案内機構を構成する案内突条24を縦設している。更に、外周上端部は上向き段部を介して外面を縮径しており、縮径部分の外面に係止用の突条25を周設している。
【００２６】
そして、上部ケース体A2の帯状凹陥部21を下部ケース体A1の上部外周に上方より嵌合させ、各廻止突条12を各廻止凹溝22に嵌合させて相互の回転を防止し、また、抜止突部23を抜止凹部13に嵌合して上部ケース体A2の上方への抜け出しを防止し、その状態で下部ケース体A1上に上部ケース体A2を嵌着固定できる様に構成している。
【００２７】
回転体Ｂは、図２で明らかな如く、筒状の把持部30の上端より頂板部31を延設し、頂板部31の中央より上方へ回転軸32を起立している。回転軸32は、外周下部に係止凹部33を周設し、係止凹部33の直上に一対の抜止突部39を突設している。また、抜止突部39の上方外周に雄螺子34を周設している。また、頂板部31の上面外周には環状凹部35を凹設しており、把持部30の外周にはローレット36を刻設している。
【００２８】
また、係止凹部33下方の回転軸32外面からは、回転方向規制機構を構成する一対の係合爪37を突設している。各係合爪37の基端部内側の回転軸32外面には、各係合爪37の弾性変形が容易に行える様に逃凹部38を形成している。各係合爪37は各ラチェット歯14に対して所定の回転方向のみに乗り越えることができる如く先端を係合しており、ここでいう所定の回転方向とは、中皿Ｃを上昇させる回転方向のことをいう。具体的には、図３に於いて、回転体Ｂは下部ケース体A1に対して下方から見て時計回りにしか相対的に回転せず、従って、ケース体Ａは回転体Ｂに対して、下方からみて反時計廻りにしか相対的に回転しない。これによる中皿Ｃの上昇に関しては後述する。
【００２９】
そして、下部ケース体A1の下面を環状凹部35に嵌合させるととも、各係合突片11を回転軸32の係止凹部33に係合させて上方への抜け出しを防止し、ケース体Ａと回転体Ｂとの相互の所定方向の回転が可能に装着している。
【００３０】
中皿Ｃは、図２に示す如く、外筒40の内周下部より突設したフランジ状の底板41の内周縁より内筒42を起立し、内筒42の内周に雌螺子43を周設している。外筒40の外周上下方向中間部には下向き段部44を介してその上方を大径に形成しており、外筒40の内面には収容物係止用の突条45を周設している。また、外筒40の上端より外方へ延設した環状突条部46には、上部ケース体A2の内面に設けた案内突条24に摺動可能に嵌合して摺動上昇するための案内凹溝47を周方向４個所凹設している。そして、雌螺子43を回転軸32の雄螺子34に螺合させるとともに、各案内凹溝47を案内突条24に係合し、図１に示す如く、下向き段部44を下部ケース体A1の上面内側に当接した状態で装着する。雌螺子43と雄螺子34とは、回転体Ｂを下から見てケース体Ａに対して時計廻りに相対回転することで、中皿Ｃが上昇する如き螺合形態をなしている。
【００３１】
キャップＤは、図５に示す如く、周壁60の上端より頂壁61を延設した下端開口の筒状をなし、周壁60の内周下部には、周方向間隔をあけて複数の係合突部62を突設し、また、その上方にはシール突条63を周設している。そして、図１に示す如く、上部ケース体A2の上端部に嵌合し、各係合突部62を係止用の突条25下面に係止させて抜け出しの防止を図り、また、シール突条63を上部ケース体A2外周に密接して気密性を付与している。
【００３２】
本例の場合の繰出容器１を組み付ける場合は、例えば図２に示す如く、回転体Ｂに下部ケース体A1を装着した後、上方より中皿Ｃを回転下降して装着し、しかる後、図５に示す如く、下部ケース体A1及び中皿Ｃを装着した回転体Ｂの上方より上部ケース体A2を嵌着して組み付け作業を行える。尚、収容物の充填はその後ケース体Ａの上方より行うことができる。収容物Ｅは、図１に示す如く、中皿Ｃのフランジ状の底板41上面、内筒42内面、外筒40内面で形成される空間からその上方の回転軸32外面及びケース体Ａ内面で形成される空間を介して、最上部のケース体Ａ内周のみで形成される空間に充填される。
【００３３】
上記の如き繰出容器１を使用する場合について説明する。図１の状態からキャップＤを外し、ケース体Ａ外周を把持して把持部30を回転させると回転軸32が回転し、その際案内突条24と案内凹溝47との係合により中皿Ｃとケース体Ａとの相対回転を防止されるため中皿Ｃが上昇する。この際、回転方向規制機構の働きで、回転体Ｂがケース体Ａに対して下から見て時計廻りにしか回転せず、反時計廻りに回転させようとしても、回転方向規制機構の作用で相対回転が防止されるため、中皿Ｃは上昇するのみで下降することはない。
【００３４】
図６乃至図10は他の例を示す。本例に於ける繰出容器１は、ケース体Ａと、回転体Ｂと、中皿Ｃと、キャップＤとを備えている。
【００３５】
ケース体Ａは、図１の例と同様に下部ケース体A1と上部ケース体A2とから構成しており、図１の例と比較して、案内を構成する案内突条24の長さが短く形成されている以外は図１の例と同様の構成であるため、同様部分には同符号を付して説明を省略する。案内突条24の長さは中皿Ｃの構成が相違するために短くなったもので、案内突条24上方のケース体Ａ内面が中皿Ｃ外面と密接してシール性を備える如く構成している。
【００３６】
回転体Ｂは、図１の例と比較して回転軸32の長さを短く形成した以外は図１の例と同様構成であるため、同様部分には同符号を付して説明を省略する。回転軸32の長さは中皿Ｃが所定の最上昇位置に至るまでの上昇が可能な長さに形成されている。                      
【００３７】
中皿Ｃは、下部構成部C1と、上部構成部C2とから構成している。下部構成部C1は、図７に示す如く、外筒48の内周下部より突設したフランジ状の底板49の内周縁より回転軸32外周を被覆可能な長さの内筒50を起立し、内筒50の内周に雌螺子51を周設している。この場合の雌螺子51は内筒50下部の一部に設けた短い形態のものである。外筒48の上端より外方へ延設した環状突条部52には、ケース体Ａの内面に設けた案内突条24に嵌合して摺動上昇するための案内凹溝53を周方向４個所凹設している。そして、図９に示す如く、雌螺子51を回転軸32の雄螺子34に螺合させるとともに、環状突条部52を下部ケース体A1の上面内側に当接した状態で装着する。この際、回転軸32は内筒50によりその外面を被覆されている。
【００３８】
上部構成部C2は、図９に示す如く、底板54周縁部から上下に延びる外面中央が円弧状に凹んだ摺動部55延設するとともに、底板54上面には収容物係止用の筒部56を立設している。また、底板54下面からは下部構成部C1の内筒50外面に嵌合させる嵌合筒57を垂設している。
【００３９】
キャップＤは、図１の例と同様の構成であるため、同符号を付して説明を省略する。
【００４０】
本例の場合の繰出容器１を組み付ける場合は、例えば図９に示す如く、回転体Ｂに下部ケース体A1を装着した後、上方より下部構成部C1を回転下降して装着し、しかる後、下部ケース体A1及び下部構成部C1を装着した回転体Ｂの上方より上部ケース体A2を嵌着し、その後上部ケース体A2の上方から上部構成部C2を挿入下降させてその嵌合筒57を下部構成部の内筒50外面に嵌着固定することで組み付け作業を行える。尚、収容物の充填はその後ケース体Ａの上方より行うことができる。
【００４１】
この場合の繰出容器１の操作も図１の場合と同様であるため説明を省略する。り
【符号の説明】
【００４２】
１…繰出容器
Ａ…ケース体
A1…下部ケース体
10…上向き段部，11…係合突片，12…廻止突条，13…抜止凹部，
14…ラチェット歯
A2…上部ケース体
20…下向き段部，21…帯状凹陥部，22…廻止凹溝，23…抜止突部，
24…案内突条，25…係止用の突条
Ｂ…回転体
30…把持部，31…頂板部，32…回転軸，33…係止凹部，34…雄螺子，
35…環状凹部，36…ローレット，37…係合爪，38…逃凹部，39…抜止突部
Ｃ…中皿
40…外筒，41…フランジ状の底板，42…内筒，43…雌螺子，44…下向き段部，
45…収容物係止用の突条，46…環状突条部，47…案内凹溝
C1…下部構成部
48…外筒，49…フランジ状の底板，50…内筒，51…雌螺子，52…環状突条部，
53…案内凹溝，
C2…上部構成部
54…底板，55…摺動部，56…収容物係止用の筒部，57…嵌合筒
Ｄ…キャップ
60…周壁，61…頂壁，62…係合突部，63…シール突条
Ｅ…収容物
【図１】
0005392762.tif 000002
【図２】
0005392762.tif 000003
【図３】
0005392762.tif 000004
【図４】
0005392762.tif 000005
【図５】
0005392762.tif 000006
【図６】
0005392762.tif 000007
【図７】
0005392762.tif 000008
【図８】
0005392762.tif 000009
【図９】
0005392762.tif 000010
【図１０】
0005392762.tif 000011